(57)【要約】【課題】　簡易に防水が実現できる生体電極および生体電極用コネクタを提供する。【解決手段】　生体電極７は、生体組織に接触し生体電気信号を検出する導電性部材２と、導電性部材２を生体組織に保持する保持部材１と、導電性部材２に部分的に接触し導電性部材２により検出された生体電気信号を生体電極用コネクタに導出する導出部材３とを具備し、導出部材３は防水シート４、５により両面でラミネート（６）されている。生体電極用コネクタ１０は、可動部１２が挟持基部１１ａに対して相対的に回動して開閉し、可動部１２が挟持基部１１ａに閉じることにより、生体電極７の電気信号を導出する導出部材３と電気的に接続されるものであって、導出部材３の電気的に露出した部分を挟持することにより電気的に接続され、その電気的接続部がパッキン１４により水密に保持される。【選択図】　図１
2004097809.tif 000002
【特許請求の範囲】
【請求項１】
　生体組織に接触し、生体電気信号を検出する導電性部材と、
　前記導電性部材を生体組織に保持する保持部材と、
　前記導電性部材に部分的に接触し、前記導電性部材により検出された生体電気信号を生体電極用コネクタに導出する導出部材と、
　前記導出部材を水密に防水する防水シートを具備し、
　前記防水シートは前記導出部材から前記生体電気信号を前記生体電極用コネクタに導出する部分を露出していることを特徴とする生体電極。
【請求項２】
　請求項１に記載の生体電極において、
　前記導出部材は前記防水シートによりラミネートされていることを特徴とする生体電極。
【請求項３】
　請求項１または請求項２に記載の生体電極において、
　前記防水シートにより前記生体電気信号を前記生体電極用コネクタに導出するための前記導出部材の前記露出部分は、円形状であることを特徴とする生体電極。
【請求項４】
　請求項１乃至請求項３のうちいずれか１つに記載の生体電極において、
　さらに、外部からの水滴または水圧による振動を前記導電性部材に伝達することを防止するための保護部材と
　を具備することを特徴とする生体電極。
【請求項５】
　可動部が挟持基部に対して相対的に回動して開閉し、前記可動部が前記挟持基部に閉じることにより、生体電極の電気信号を導出する導出部材と電気的に接続される生体電極用コネクタにおいて、
　前記導出部材の電気的に露出した部分と接触することにより前記生体電極と電気的に接続される電気的接続部と、
　前記電気的接続部を水密に保持するため前記電気的接続部を囲むように配置され、かつ前記可動部が前記挟持基部に対して閉じたときに、前記可動部と前記挟持基部との空間内で水密空間を形成することにより防水機能を有するパッキンと
　を具備することを特徴とする生体電極用コネクタ。
【請求項６】
　請求項５に記載の生体電極用コネクタにおいて、
　前記電気的接続部は、前記電気的露出部分を挟持した時に前記挟持基部に設けられた凸部と前記可動部に設けられた凹部が嵌合する構成であることを特徴とする生体電極用コネクタ。
【請求項７】
　請求項６に記載の生体電極用コネクタにおいて、
　前記凹部の球表面の曲率半径は、前記凸部の球表面の曲率半径よりも小さく、
　前記凹部は弾性を有することを特徴とする生体電極用コネクタ。
【請求項８】
　請求項５乃至７のうちいずれか１つに記載の生体電極用コネクタにおいて、
　前記可動部が前記挟持基部に対して閉じた時に、前記凹部の周囲を囲うように設けられた環状部が前記凸部の周囲を囲うように設けられたパッキンを遠心方向または求心方向に付勢することを特徴とする生体電極用コネクタ。
【請求項９】
　請求項８に記載の生体電極用コネクタにおいて、
　前記環状部の立ち上がり高さが遠心方向にまたは求心方向に連続的に低くなることを特徴とする生体電極用コネクタ。
【請求項１０】
　請求項８に記載の生体電極用コネクタにおいて、
　前記パッキンの立ち上がり高さが求心方向にまたは遠心方向に連続的に低くなることを特徴とする生体電極用コネクタ。
【請求項１１】
　可動部が挟持基部に対して相対的に回動して開閉し、前記可動部が前記挟持基部に閉じることにより、生体電極の電気信号を導出する導出部材と電気的に接続される生体電極用コネクタにおいて、
　前記導出部材の電気的に露出した部分と接触することにより前記生体電極と電気的に接続される電気的接続部を具備し、
　前記電気的接続部は、凸部と凹部が同心状に、前記電気的露出部分を挟持する構成であることを特徴とする生体電極用コネクタ。
【請求項１２】
　請求項１１に記載の生体電極用コネクタにおいて、
　前記電気的露出部分は前記凸部に対して接触することで、電気的に接続することを特徴とする生体電極用コネクタ。
【請求項１３】
　請求項１１または請求項１２に記載の生体電極用コネクタにおいて、
　前記凹部の球表面の曲率半径は、前記凸部の球表面の曲率半径よりも小さく、
　前記凹部は弾性を有することを特徴とする生体電極用コネクタ。
【請求項１４】
　可動部が挟持基部に対して相対的に回動して開閉し、前記可動部が前記挟持基部に閉じることにより、生体電極の電気信号を導出する導出部材と電気的に接続される生体電極用コネクタにおいて、
　前記導出部材の電気的に露出した部分と接触することにより前記生体電極と電気的に接続される電気的接続部と、
　前記挟持基部に前記生体電極の前記導出部材を係合するための係合部と、を具備し、
　前記導出部材を前記係合部に係合したときに、前記電気的露出部分が前記電気的接続部に接触するように構成されたことを特徴とする生体電極用コネクタ。
【発明の詳細な説明】
【技術分野】
【０００１】
　本発明は、生体の電気信号を検出する生体電極およびその生体電極から電気信号を導出する生体電極用コネクタに係り、特に防水性に優れた生体電極、生体電極用コネクタに関する。
【背景技術】
【０００２】
　生体信号の電気信号、例えば心電図信号を長時間測定する装置としてホルター心電計が知られている。被検者は生体電極を胸部等に装着し、携帯するホルター心電計に測定される心電図信号を記録する。
　この測定記録は、長時間であるために、ホルター心電計による測定を行いながら、日常生活でかいた汗をシャワーで洗い流したいという被検者の要望がある。
　従来のホルター心電計の生体電極や生体電極用コネクタでは防水性が十分でなかったため、シャワーを浴びると水分が導電部分に触れノイズの原因となる。したがってシャワーを浴びることはほとんど許されていなかった。それが許されるためには、生体電極と生体電極用コネクタの防水を確保するために、相当大判の防水シールを生体電極のうえから貼り付けていた。
　しかし、そのような大判防水シールを貼り付けると、シャワーを浴びる体表面が制限されて爽快感も得られず、防水シールが貼られた体表面が蒸れてしまう。また、防水シールを貼った状態で体を動かすと、体表面が張ってしまう。したがって、大判防水シールを貼り付けるようなことをしなくとも、シャワーを浴びることができるような生体電極や生体電極用コネクタが望まれていた。
【０００３】
　生体電極、生体電極用コネクタの防水性をもたせたものとして、特公平１−４８０１５号がある（特許文献１）。これは、防水性の合成樹脂製の弾性材料からなる碗状の吸盤の内側に電極板を設けたものである。その吸盤を外側から押圧すれば、吸盤の内側表面に貼着されている体表密着シートが体表面に密着する。
　しかし、吸盤がもとの形状に戻ろうとする復元力が常にかかってしまうため、長時間、生体電極を装着すると体表面が炎症をおこしてしまうおそれがある。また体表面にかかる復元力が不快に感じられてしまう。
【０００４】
　また、心電図信号を測定する装置に防水性をもたせたものとして特開平８−３１７９１３号がある（特許文献２）。これは、防水性を有するシート状の基材に、複数の生体電極、電気信号を記録する装置と電池を水密的に包囲させるものである。これも、シート状の基材が装着される体表面の領域が大きいため、シャワーを浴びる体表面も制限されて爽快感が得られない。
【０００５】
　生体電極に接続するコネクタについては、本出願人から実用新案登録第２６０５２７２号において提案しているものがある（特許文献３）。生体電極のシート状導電端子は、片面が導電性粘着剤層が施されて、その端部には貫通孔が形成されている。コネクタには先端に突起部が設けられている。そして、突起部を貫通孔に挿入することで、生体電極にコネクタを電気的に接続する構造となっている。本提案は、生体電極にコネクタを確実に挟持する点ではすぐれているものの、導電性がある部分が露出するため、防水の点では考慮されていない。
【特許文献１】特公平１−４８０１５号公報（第４段落、第２−３１行）
【特許文献２】特開平８−３１７９１３号公報（段落０００７）
【特許文献３】実用新案登録第２６０５２７２号公報（段落０００９−００１２）
【発明の開示】
【発明が解決しようとする課題】
【０００６】
　本発明は、このような問題を解決するためになされたものであって、その目的は、生体電極が装着する生体表面の領域が大きくなく、簡易に防水が実現できる生体電極および生体電極用コネクタを提供することである。
【課題を解決するための手段】
【０００７】
　上記の課題を解決するために、本発明に係る生体電極は、
　生体組織に接触し、生体電気信号を検出する導電性部材と、
　前記導電性部材を生体組織に保持する保持部材と、
　前記導電性部材に部分的に接触し、前記導電性部材により検出された生体電気信号を生体電極用コネクタに導出する導出部材と、
　前記導出部材を水密に防水する防水シートを具備し、
　前記防水シートは前記導出部材から前記生体電気信号を前記生体電極用コネクタに導出する部分を露出していることを特徴とする（請求項１）。
　この構成により、導出部材は露出部分を除いて防水シートにより防水され、露出部分から生体電極用コネクタに生体電気信号を導出する。
【０００８】
　さらに、導出部材は防水シートによりラミネートされているとよい（請求項２）。
【０００９】
　さらに、防水シートにより生体電気信号を生体電極用コネクタに導出するための導出部材の露出部分は、円形状であることを特徴とする（請求項３）。
　これにより、生体電極用コネクタとの電気的接続がしやすくなる。
【００１０】
　さらに、外部からの水滴または水圧による振動を前記導電性部材に伝達することを防止するための保護部材と
　を具備することを特徴とする（請求項４）。
　この構成により、シャワーをしても、シャワーの水滴やその水圧による振動の導電性部材への伝達を防止し、ノイズの発生を防止する。
【００１１】
　また、本発明に係る生体電極用コネクタは、可動部が挟持基部に対して相対的に回動して開閉し、前記可動部が前記挟持基部に閉じることにより、生体電極の電気信号を導出する導出部材と電気的に接続されるものであって、
　前記導出部材の電気的に露出した部分と接触することにより電気的に接続される電気的接続部と、
　前記電気的接続部を水密に保持するため前記電気的接続部を囲むように配置され、かつ前記可動部が前記挟持基部に閉じたときに、前記可動部と前記挟持基部との空間内で水密空間を形成することにより防水機能を有するパッキンと
　を具備することを特徴とする（請求項５）。
　この構成により、生体電極用コネクタの可動部と挟持基部を閉じて、生体電極の導出部材を挟持させて電気的接続を行う状態にすることにより、電気的接続部がパッキンにより水密に防水される。
【００１２】
　さらに、生体電極用コネクタは、前記電気的接続部が、凸部と凹部が同心状に、前記電気的露出部分を挟持する構成であることを特徴とする（請求項６、１１）。
　この構成により、電気的露出部分が凸部と凹部により同心状に、堅固に挟持される。
【００１３】
　さらに、生体電極用コネクタは、
　前記凸部は導電性を有し、
　前記電気的露出部分は前記凸部に対して接触することで、電気的に接続することを特徴とする（請求項１２）。
　この構成により、導電性を有する凸部に円形状の電気的露出部が当接されることで、生体電極と生体電極用コネクタが電気的に接続される。
【００１４】
　さらに、前記凹部の球表面の曲率半径は、前記凸部の球表面の曲率半径よりも小さく、　前記凹部は弾性を有することを特徴とする（請求項７、１３）。
　この構成により、曲率半径が相対的に小さい凹部が、生体電極の電気的露出部分を導電性凸部に押さえつける際、凹部の弾性により電気的露出部分を導電性凸部に対し擦りつけて張るように作用するため、堅固に挟持される。そのため、導電性凸部と電気的露出部との導通状態が良好となる。
【００１５】
　また、本発明に係る生体電極用コネクタは、前記可動部が前記挟持基部に対して閉じた時に、前記凹部の周囲を囲うように設けられた環状部が前記凸部の周囲を囲うように設けられたパッキンを遠心方向または求心方向に付勢することを特徴とする（請求項８）。
　この構成により、環状部とパッキンとにより、電気的接続部を囲む水密空間が確実に形成される。
　また、本発明に係る生体電極用コネクタは、前記環状部の立ち上がり高さが遠心方向にまたは求心方向に連続的に低くなることを特徴とする（請求項９）。
　また、本発明に係る生体電極用コネクタは、前記パッキンの立ち上がり高さが遠心方向にまたは求心方向に連続的に低くなることを特徴とする（請求項１０）。
【００１６】
　また、本発明に係る生体電極用コネクタは、可動部が挟持基部に対して相対的に回動して開閉し、前記可動部が前記挟持基部に閉じることにより、生体電極の電気信号を導出する導出部材と電気的に接続される生体電極用コネクタであって、
　前記導出部材の電気的に露出した部分と接触することにより前記生体電極と電気的に接続される電気的接続部と、
　前記挟持基部に前記生体電極の前記導出部材を係合するための係合部と、を具備し、
　前記導出部材を前記係合部に係合したときに、前記電気的露出部分が前記電気的接続部に接触するように構成されたことを特徴とする（請求項１４）。
　この構成により、導出部材を係合部に係合すれば、電気的露出部分が電気的接続部に接触するように構成されているので、簡易に生体電極と生体電極用コネクタの電気的接続が達成される。
【発明の効果】
【００１７】
　請求項１に記載の生体電極により、導出部材は露出部分を除いて防水シートにより防水され、露出部分から生体電極用コネクタに生体電気信号を導出することができる。
【００１８】
　また、請求項２に記載の生体電極により、導出部材は防水シートにより両面がラミネートされているので、防水が確実である。
【００１９】
　さらに、請求項３に記載の生体電極により、露出部分が円形状であるため、生体電極用コネクタとの電気的接続をしやすくすることができる。
【００２０】
　さらに、請求項４に記載の生体電極により、シャワーをしても、シャワーの水滴やその水圧による振動の導電性部材への伝達を防止し、ノイズの発生を防止することができる。　
【００２１】
　また、請求項５に記載の生体電極用コネクタにより、生体電極用コネクタの可動部と挟持基部を閉じて、生体電極の導出部材を挟持させて電気的接続を行う状態にすることにより、電気的接続部をパッキンにより水密に防水することができる。
【００２２】
　さらに、請求項６に記載の生体電極用コネクタにより、電気的露出部分を凸部と凹部により同心状に堅固に挟持することができる。
【００２３】
　さらに、請求項７に記載の生体電極用コネクタにより、曲率半径が相対的に小さい凹部を、その弾性により、凸部に堅固に挟持することができる。
【００２４】
　さらに、請求項８〜１０に記載の生体電極用コネクタによれば、パッキンにより、可動部と挟持基部との間で、電気的接続部を囲むように確実に水密空間を形成することができる。
【００２５】
　また、請求項１１に記載の生体電極用コネクタにより、電気的露出部分を凸部と凹部により同心状に堅固に挟持することができる。
【００２６】
　さらに、請求項１２に記載の生体電極用コネクタにより、導電性を有する凸部に円形状の電気的露出部が当接されることで、生体電極と生体電極用コネクタを電気的に接続することができる。
【００２７】
　さらに、請求項１３に記載の生体電極用コネクタにより、曲率半径が相対的に小さい凹部を、その弾性により、凸部に堅固に挟持することができる。
【００２８】
　また、請求項１４に記載の生体電極用コネクタにより、導出部材を係合部に係合すれば、電気的露出部分が電気的接続部に接触するように構成されているので、簡易に生体電極と生体電極用コネクタの電気的接続が達成される。
【発明を実施するための最良の形態】
【００２９】
　生体電極が装着される生体表面の領域が大きくならない目的を、電気的接続部が簡易に防水できるようにして実現した。
【実施例１】
【００３０】
　本発明の生体電極の構成について第１の実施例を図１により説明する。
　生体電極７は、保持部材１、導電性ゲル（導電性部材）２、導出部材３、防水シート４、５で構成される。
【００３１】
　導電性ゲル２は生体組織に接触させることにより、電気信号を検出する。導電性ゲル２は、保持部材１の中央の孔１ａに配置され保持される。保持部材１の生体組織に接触する側は粘着性を持たせ、生体組織に装着される。保持部材１の素材としては、例えば、生体適合性があり防水性を有するポリオレフィンフォームがよい。
【００３２】
　導出部材３は、Ａｇ／ＡｇＣｌシートで形成され、その円形状の基部３ａは導電性ゲル２と接触している。そのため、導電性ゲル２で検出された生体の電気信号が導出部材３の導出部３ｂまで導出される。導出部３ｂには孔３ｃが設けられている。
【００３３】
　防水シート４、５の素材は非導電性であり、防水性の素材である。その素材としては、例えば、加工性のよいＰＥＴ製、ＰＶＣ製、ＰＥ製、ＰＰ製等の防水性フィルムがよい。　防水シート４は導出部材３全体を覆う大きさであり、基部４ａと端部４ｂで構成されている。基部４ａと端部４ｂの間には切欠き部４ｅが施されている。
　防水シート５は、基部５ａと端部５ｂで構成され、端部５ｂには孔５ｃが設けられている。孔５ｃは孔３ｃよりも直径は大きい。基部５ａと端部５ｂの間には切欠き部５ｅが施されている。導電性ゲル２と導電部材３の基部３ａとが接触し電気的に接続されるように、基部５ａには基部３ａと同じ大きさの孔５ｄが施されている。
　防水シート５の端部５ｂと防水シート４の端部４ｂは同じ形状である。また、基部５ａの外周形状は基部４ａの外周形状と同じである。そして、防水シート４、５は導出部材３を挟んでラミネートされる。この場合、防水シート４、５の形状が同じ部分や切欠き部４ｅと５ｅは、ずれないように合わせ、孔５ｃと孔３ｃは同心となるようにする。ラミネートの方法は、例えばウェルダー溶着法によってもよく、接着剤あるいは粘着剤により接着させてもよい。
　防水シート４、５と導出部材３のラミネート６は、保持部材１に装着する側（防水シート５側）で、導出部材３ａが露出し、孔５ｃから導出部材３の一部が露出している。
【００３４】
　露出した導出部材３ａは導電性ゲル２と接触して電気信号を導出する。
　孔５ｃから導出部材３が露出している部分は、後述する生体電極用コネクタへ電気信号を導出する。
　なお、ラミネート６の防水シート５の基部５ａのうち、保持部材１に接触する部分には接着性を持たせ、保持部材１と接着するようにする。
【００３５】
　このような構成にすることで、導電性ゲル２は、生体組織に装着されている状態では保持部材１により水密に保持される。さらに、孔５ｃから導出部材３が露出している部分を、生体電極用コネクタに電気信号を導出するためのコネクタに水密に把持する。このことにより、生体電極全体で防水状態を維持して、電気信号（心電図信号）を検出することができる。
【実施例２】
【００３６】
　本発明の生体電極の構成について第２の実施例を図２により説明する。
　生体電極７は、保持部材１、導電性ゲル（導電性部材）２、導出部材３、防水シート４、５の他、保護部材８で構成される。
　保持部材１、導電性ゲル（導電性部材）２、導出部材３、および防水シート４、５の構成については、第１の実施例と同様である。
　保護部材８の役割は、シャワーをしながら生体表面に生体電極７を装着して電気信号（心電図信号等）を検出できるように、シャワーの水滴による水圧、振動が導電性ゲル２や導電部材３に伝わらないようにすることである。導電性ゲル２や導電部材３に水圧や振動が伝わると、電気信号にノイズを生じさせてしまうからである。
　保護部材８は円形状であり、防水シート４の基部４ａの上に接着剤あるいは粘着材により接着される。素材は例えばポリオレフィンフォームなど、シャワーの水滴による振動が導電性ゲル２や導電部材３に伝わることを防止できる素材がよい。大きさは、少なくとも導電部材３の基部３ａよりも大きく、より好適には、防水シート４、５の基部４ａ、５ａを覆う大きさであるのがよい。
【実施例３】
【００３７】
　本発明の生体電極の構成について第３の実施例を図３により説明する。
　第３の実施例は、第２の実施例におけるシャワーの水滴による振動防止の構造をより強化した例である。
　すなわち、第２の実施例における円形状保護部材８と防水シート４の間に、外周直径を円形状保護部材８と同じくする円環状支持部９を設ける。そして円形状保護部材８と円環状の支持部９は、外周を合わせて、基端部４ａの上に接着剤あるいは粘着材により接着する。第２の実施例と同様に、円形状保護部材８と円環状支持部９の大きさは、少なくとも導電部材３の基部３ａよりも大きく、より好適には、防水シート４、５の基部４ａ、５ａを覆う大きさであるのがよい。この構造であれば、円環状支持部９が介在することで、円形状保護部材８と防水シート４の間に間隙ができるので、シャワーの水滴による水圧、振動が直接防水シート４に伝わらず、よりノイズの防止に適している。
【００３８】
　次に、上記の生体電極に適合する誘導コードの生体電極用コネクタ１０の構造を図４〜図８により説明する。
　図４は、生体電極用コネクタ１０の可動部１２が開いている状態での斜視図である。図５は図４の矢印Ａから見た斜視図である。
　挟持基部１１ａは、両側部を基部１１に設けられたガイドレール１１ｂに保持され、摺動自在とされている。すなわち、挟持基部１１ａは、基部１１に対し、収容／引き出しが可能となっている。可動部１２は挟持基部１１ａの基端部に設けられた支軸を中心に相対的に回動自在とされている。
　挟持基部１１ａは、基部１１に対し所定位置まで引き出されたときには、図示せぬストッパによってそれ以上引き出されることが阻止される。挟持基部１１ａが、この所定位置まで引き出された状態で、可動部１２を閉じると、基部１１の両側面内側に設けたガイド突起１７が、可動部１２の両側面外側に設けたガイド溝１８の一端１８ａに入り込むようになっている。すなわち可動部１２には、ガイド溝１８の一端１８ａ側に切り欠き１８ｃが設けられ、この切り欠き１８ｃからガイド溝１８にガイド突起１７が入り込むようになっている。
　このように可動部１２を閉じた状態で、挟持基部１１ａをガイドレール１１ｂに沿って、基部１１に収容する方向に摺動させると、相対的にガイド突起１７は、ガイド溝１８を摺動し、ガイド溝１８の他端１８ｂに向かって移動する。
　可動部１２が閉じた状態において、ガイド溝１８は、その他端１８ｂ側に至るに従って挟持基部１１ａから離間するように形成されている。このため挟持基部１１ａが基部１１に収容される方向に移動すると、挟持基部１１ａはガイドレール１１ｂに支持されているから、ガイド溝１８に入り込んでいるガイド突起１７は、ガイド溝１８の摺動面を挟持基部１１ａ側に押圧しながら移動する。このため、可動部１２は挟持基部１１ａに対し、より強固に閉じた状態となる。なお、ガイド溝１８の他端１８ｂの最先端を含む所定部分は、可動部１２が閉じた状態のときのガイドレール１１ｂと平行となっている。さらにこの所定部分に入る手前ではガイド溝１８の底面に盛り上がり部１８ｄが設けられている。ガイド突起１７は、先端面でこの盛り上がり部１８ｄを押圧しながら通過して前記所定部分に入る。この盛り上がり部１８ｄは、ガイド突起１７がこの所定部分から簡単にに出られないようにするためにある。そして可動部１２は、ガイド溝１８内に存在するガイド突起１７によって、この状態から直接に開となることを阻止される。こうして、可動部１２は、閉じた状態を維持される。一方、可動部１２を開けるときは、各部を、上記とは逆の手順で動作させる。
【００３９】
　次に生体電極７と生体電極用コネクタ１０との電気的接続部について説明する。挟持基部１１ａには、導電性を有する球表面状の凸部１３と、その凸部１３と同心にパッキン１４が設けられている。パッキン１４は弾性のある例えばゴム製がよい。凸部１３は後述するように、生体電極７の露出した導出部３ｂと当接されて電気的に接続される。
　図５に示すように、可動部１２の内側には、凹部１５と、その凹部１５と同心に環状部１６が設けられている。凹部１５は弾性を有する例えばゴム製がよい。
【００４０】
　凹部１５の直径は、凸部１３の直径よりやや小さくできている。凹部１５の凹状球表面の曲率半径は、凸部１３の凸状球表面の曲率半径よりもやや小さくできている。
【００４１】
　図６は、可動部１２が生体電極７のラミネート６を挟むように閉じた状態のときの断面図を示している。このように、凸部１３と凹部１５は同心状にラミネート６を挟持する。ラミネート６は、孔５ｃが凸部１３に同心状に接触するように挟持する。そのことで、孔５ｃから露出している導出部材３の部分（電気的露出部分）が凸部１３と電気的に接続される。
【００４２】
　上述のように、弾性を有する凹部１５の凹状球表面の曲率半径は相対的に小さく、導電性の固い凸部１３の凸状球表面の曲率半径は相対的に大きくできている。そのために、ラミネート６の孔５ｃから露出している電気的露出部分を導電性の凸部１３に押さえつける際、凹部１５の弾性により電気的露出部分を導電性凸部１３に対し擦りつけて張るように作用するため、堅固に挟持される。さらにそのため、導電性凸部と電気的露出部との導通状態が良好となる。
【００４３】
　図１０の横断面図に示すように、パッキン１４の周辺内側１４ａは、凸部１３の球表面とは逆向きのテーパがかかって、すなわち、パッキン１４の立ち上がり高さが求心方向に連続的に低くなっている。しかも、可動部１２が閉じられている状態ではパッキン１４内部が水密となるように、可動部１２の環状部１６はパッキン１４周辺内側を押し広げる方向のテーパが施され、すなわち、環状部１６の立ち上がり高さが遠心方向に連続的に低くなっている。そのため、ラミネート６を強固に挟持することができるとともに、パッキン１４が電気的接続部を囲むように配置されているので可動部１２が挟持基部１１ａに対して閉じたときに可動部１２と挟持基部１１ａとの空間内で水密空間を形成する。
　パッキン１４と環状部１６のテーパは、図１１に示すように、それぞれ上記の例とは逆向きにつけられても同様の効果を得ることができる。この場合パッキン１４は、環状部１６により求心方向に付勢される。
【００４４】
　生体電極７により検出され導出部材３に導電された電気信号は、導電性の凸部１３、導電板２０を伝わり、誘導ケーブル１９の芯線２１に導電される。
　なお、誘導ケーブル１９のコネクタ接続部分はケーブルカバー２２により水密に保護されている。
【００４５】
　図７（ａ）はラミネート６の同心状にラミネートされた孔５ｃ、３ｃ付近の断面図である。図７（ｂ）は、コネクタ１０により挟持されたラミネート６の凸部１３・凹部１５付近の断面図である。このように導出部材３の導出部３ｂが露出している孔５ｃの直径は、凸部１３・凹部１５いずれの直径よりも小さく設計されている。そのため、導出部３ｂの露出部分が、凸部１３から露出しない。この構造により、生体電極７の導出部３ｂと凸部１３との電気的接続がなされ、導電板２０を介して誘導ケーブル１９の芯線２１に電気信号が導出される。
【００４６】
　図８は、生体電極７を生体電極用コネクタ１０に挟持させる様子を示す図である。生体電極７のラミネート６に施された切欠部６ｅ（切欠き部４ｅ、５ｅがラミネートされた部分）を生体電極用コネクタ１０の係合部２３に係合するように、ラミネート６を挟持基部１１ａ上に配置させる。そして、可動部１２を閉じ、挟持基部１１ａを基部１１に収容することで、上述のように、ラミネート６の電気的露出部分と導電性凸部との電気的接続が達成される。切欠部６ｅが係合部２３に係合されると、ラミネート６の電気的露出部分が現れている孔５ｃの中心が凸部１３の中心に位置するように、生体電極７および生体電極用コネクタ１０が設計される。そのため、切欠部６ｅを係合部２３に係合させるだけで、ラミネート６の電気的露出部が導電性凸部１３に接触するようになる。そのため、簡便にラミネート６の電気的露出部と導電性凸部１３との位置決めができる。
【００４７】
　さらに、図４を参照すると、挟持基部１１ａはその先端に傾斜面１１ｃを有している。その傾斜面１１ｃに沿わせた面を有するリブ２４が挟持基部１１ａに設けられている。一方で、図５を参照すると、可動部１２の内側には、リブ２４の上面および外側側面にあてがう面を有するリブ受部２５が設けられている。図９は、生体電極７のラミネート６を挟持基部１１ａに嵌め、可動部１２を閉じた場合に、リブ受部２５がラミネート６を介してリブ２４にあてがわれている状態を示す図である。なお、可動部１２は便宜上図示されていない。このように、リブ受部２５がリブ２４にあてがわれることによって、リブ受部２５およびリブ２４が当接するラミネート６の片縁部分にかかる力により、ラミネート６はその中央が若干隆起して湾曲するような力を受ける。このような力が発生する状態でラミネート６片縁部分がリブ受部２５およびリブ２４により挟持されるので、生体電極７が引く抜こうとする力がかかるとその力に対する抵抗が生じ、生体電極７が抜けにくくなっている。さらに、上述したようにラミネート６中央付近に位置する電気的露出部が導電性凸部１３と凹部１５により上下から挟持されることになるので、堅固にラミネート６が保持される。
【００４８】
　このように、生体電気信号が導出される導出部３ｂの露出部分は、コネクタ１０の凸部１３により確実に電気的に接続される。また、パッキン１４により、導出部３ｂの露出部分と凸部１３の電気的接続は、水密が保たれている。さらに、電気信号が凸部１３から誘導ケーブル１９の芯線２１に導電されるまで防水構造とされている。
　このことにより、生体電極７から生体電極用コネクタ１０全体にわたって防水されることになる。
【図面の簡単な説明】
【００４９】
【図１】本発明に係る生体電極の分解斜視図を示す図（実施例１）。
【図２】本発明に係る生体電極の分解斜視図を示す図（実施例２）。
【図３】本発明に係る生体電極の分解斜視図を示す図（実施例３）。
【図４】本発明に係る生体電極用コネクタの可動部が開いている状態での斜視図。
【図５】図４の矢印Ａから見た斜視図。
【図６】本発明に係る生体電極用コネクタの可動部を閉じて生体電極の導出部材を挟持した状態での縦断面図を示す図。
【図７】図７（ａ）は生体電極の導電部材が露出している付近の断面拡大図。図７（ｂ）は、生体電極の導電部材の露出部分が生体電極用コネクタの可動部を閉じて生体電極の導出部材を挟持した状態での凸部凹部付近の断面拡大図。
【図８】生体電極を生体電極用コネクタに挟持させる様子を示す図。
【図９】生体電極を生体電極用コネクタに挟持させたときのラミネートの状態を示す図。
【図１０】本発明に係る生体電極用コネクタの横断面図。
【図１１】本発明に係る生体電極用コネクタの他の例の横断面図。
【符号の説明】
【００５０】
　１　　保持部材
　１ａ　孔
　２　　導電性ゲル（導電性部材）
　３　　導出部材
　３ａ　基部
　３ｂ　導出部
　３ｃ　孔
　４　　防水シート
　４ｅ　切欠き部
　５　　防水シート
　５ａ　基部
　５ｂ　端部
　５ｃ　孔
　５ｄ　孔
　５ｅ　切欠き部
　６　　ラミネート
　６ｅ　切欠き部
　７　　生体電極
　８　　円形状保護部材
　９　　円環状支持部
　１０　　生体電極用コネクタ
　１１　　基部
　１１ａ　挟持基部
　１１ｂ　ガイドレール
　１１ｃ　傾斜面
　１２　　可動部
　１３　　凸部
　１４　　パッキン
　１５　　凹部
　１６　　環状部
　１７　　ガイド突起
　１８　　ガイド溝
　１９　　誘導コード
　２０　　導電板
　２１　　芯線
　２２　　ケーブルカバー
　２３　　係合部
　２４　　リブ
　２５　　リブ受部
【図１】
2004097809.tif 000003
【図２】
2004097809.tif 000004
【図３】
2004097809.tif 000005
【図４】
2004097809.tif 000006
【図５】
2004097809.tif 000007
【図６】
2004097809.tif 000008
【図７】
2004097809.tif 000009
【図８】
2004097809.tif 000010
【図９】
2004097809.tif 000011
【図１０】
2004097809.tif 000012
【図１１】
2004097809.tif 000013